(57)【要約】【課題】    ブロッキング処理が不要で、検出対象物質の非特異的な吸着・結合量が少なく検出精度の高いマイクロアレイを提供すること。【解決手段】固相基板の表面の一部に生理活性物質を固定化してなるマイクロアレイであって、基板表面には生理活性物質固定化用の表面処理を施した層（層Ａ）が存在し、かつ、層Ａの上には生理活性物質の吸着を抑制する物質からなる層（層Ｂ）が重層されており、生理活性物質の固定部分において層Ｂをなす物質の少なくとも一部が基板表面から除去されている、およびまたは、吸着抑制効果を失っている、およびまたは、生理活性物質が層Ａに達するまで浸透しているマイクロアレイ。生理活性物質は、たとえば核酸、アプタマー、タンパク質、抗体、オリゴペプチド、ペプチド核酸、糖鎖、糖タンパク質などである。【特許請求の範囲】
【請求項１】
固相基板の表面の一部に生理活性物質を固定化してなるマイクロアレイであって、基板表面には生理活性物質固定化用の表面処理を施した層（層Ａ）が存在し、かつ、層Ａの上には生理活性物質の吸着を抑制する物質からなる層（層Ｂ）が重層されており、生理活性物質の固定部分において層Ｂをなす物質の少なくとも一部が基板表面から除去されている、およびまたは、吸着抑制効果を失っている、およびまたは、生理活性物質が層Ａに達するまで浸透していることを特徴とするマイクロアレイ。
【請求項２】
層Ａは生理活性物質との結合性を有する官能基を含む請求項１記載のマイクロアレイ。
【請求項３】
層Ａはアルデヒド基、アミノ基、エポキシ基、チオール基、水酸基、カルボキシル基、ニトロ基、スルホン基、酸無水物、カルボジイミド基、ビニル基、ハロゲン化アルキル、ハロゲン化アリル、スクシンイミド基、マレイミド基、イソシアナート基、イソチオシアナート基、ヒドラジド基、アジド基、ビオチン誘導体、アビジン誘導体、リン酸基、アズラクトン基、ニトリル基、アミド基、イミノ基、ニトレン基、アセチル基、ポリリジンの内、少なくとも一つを含む請求項１記載のマイクロアレイ。
【請求項４】
層Ａはアルデヒド基、およびまたは、アミノ基を含む請求項１記載のマイクロアレイ。
【請求項５】
層Ａはアミノアルキルシランを介して結合した多官能性アルデヒド由来のアルデヒド基を含む請求項１記載のマイクロアレイ。
【請求項６】
層Ｂは高分子物質からなる請求項１〜５いずれか記載のマイクロアレイ。
【請求項７】
高分子物質がホスホリルコリン基を有する請求項６記載のマイクロアレイ。
【請求項８】
ホスホリルコリン基を有する高分子物質が２−メタクリロイルオキシエチルホスホリルコリンを含む共重合体である請求項７記載のマイクロアレイ。
【請求項９】
基板がプラスチック製であることを特徴とする請求項１〜８いずれか記載のマイクロアレイ。
【請求項１０】
プラスチックが飽和環状ポリオレフィン製である請求項９記載のマイクロアレイ。
【請求項１１】
基板がガラス製である請求項１〜８いずれか記載のマイクロアレイ。
【請求項１２】
生理活性物質が核酸、アプタマー、タンパク質、抗体、オリゴペプチド、ペプチド核酸、糖鎖、糖タンパク質の内、少なくとも一つである請求項１〜１１いずれか記載のマイクロアレイ。
【請求項１３】
生理活性物質がオリゴヌクレオチドである請求項１〜１１いずれか記載のマイクロアレイ。
【請求項１４】
生理活性物質がアプタマーである請求項１〜１１いずれか記載のマイクロアレイ。
【請求項１５】
基板表面への生理活性物質固定化用の表面処理層（層Ａ）の形成工程（工程Ａ）、層Ａの上部への生理活性物質の吸着を抑制する物質からなる層（層Ｂ）の形成工程（工程Ｂ）、および、生理活性物質溶液あるいは生理活性物質分散液の基板上への点着工程（工程Ｃ）を含み、工程Ｃで点着部において層Ｂを形成する物質の少なくとも一部を除去する、およびまたは、吸着抑制効果を失わせる、およびまたは、生理活性物質の少なくとも一部を層Ａに達するまで浸透させることを特徴とするマイクロアレイの製造方法。
【請求項１６】
工程Ｃの生理活性物質溶液あるいは生理活性物質分散液が、層Ｂを形成する物質に対して溶解性を示す請求項１５記載のマイクロアレイの製造方法。
【請求項１７】
工程Ｃの生理活性物質溶液あるいは生理活性物質分散液がアルコールを含む請求項１６記載のマイクロアレイの製造方法。
【請求項１８】
生理活性物質溶液あるいは生理活性物質分散液が界面活性剤を含む請求項１６記載のマイクロアレイの製造方法。
【請求項１９】
層Ｂがホスホリルコリン基を有する高分子物質から形成される請求項１５〜１８いずれか記載のマイクロアレイの製造方法。
【請求項２０】
ホスホリルコリン基を有する高分子物質が、２−メタクリロイルオキシエチルホスホリルコリンを含む共重合体である請求項１９記載のマイクロアレイの製造方法。
【請求項２１】
基板がプラスチック製である請求項１５〜２０いずれか記載のマイクロアレイの製造方法。
【請求項２２】
プラスチックが飽和環状ポリオレフィン製である請求項２１記載のマイクロアレイの製造方法。
【請求項２３】
基板がガラス製である請求項１５〜２０いずれか記載のマイクロアレイの製造方法。
【請求項２４】
生理活性物質が核酸、アプタマー、タンパク質、抗体、オリゴペプチド、ペプチド核酸、糖鎖、糖タンパク質の内、少なくとも一つである請求項１５〜２３いずれか記載のマイクロアレイの製造方法。
【請求項２５】
生理活性物質がオリゴヌクレオチドである請求項１５〜２３いずれか記載のマイクロアレイの製造方法。
【請求項２６】
生理活性物質がアプタマーである請求項１５〜２３いずれか記載のマイクロアレイの製造方法。
【発明の詳細な説明】
【技術分野】
【０００１】
本発明は、生理活性物質を固相基板上に固定化してなるマイクロアレイとその製造方法に関する。
【背景技術】
【０００２】
近年、創薬研究や臨床検査のハイスループット化を達成するための手段として、生理活性物質を固相基板に固定化したデバイスであるバイオチップが着目されている。固定化される生理活性物質としては、核酸、タンパク質、抗体、糖鎖、糖タンパクなどが代表的なものであり、特に、核酸を固定化したバイオチップである核酸マイクロアレイは、すでに多種の製品が上市されている。また、特定のタンパク質を検出するために、タンパク質に対する抗体を固定化したバイオチップも広く注目されている。また、抗体と同様のタンパク認識機能をもつ分子として、アプタマーが注目されている。アプタマーとは、特定のタンパク質と特異的に強い親和性を示すオリゴヌクレオチドであり、ＳＥＬＥＸ法と呼ばれるコンビナトリアルケミストリー技術を応用した合成技術の確立により、医薬品などへの利用の可能性が開けた。アプタマーの特徴として、生物由来の抗体とは異なり完全な化学合成が可能であることや、タンパク質に対する特異性が高いことから、医薬品や、タンパク質を捕捉・検出するバイオチップの認識素子としての応用が期待されている。
【０００３】
マイクロアレイのシグナル検出において、マイクロアレイ基板への検出対象物質の非特異的な吸着は信号対雑音比を低下させる原因となり、検出精度を低下させる（たとえば、非特許文献１参照）。基板表面には生理活性物質を効率良く固定化するための化学的修飾が施されることが通常であり、核酸マイクロアレイの場合にはアルデヒド基やアミノ基を導入したものが多用されている。これらの官能基が活性な状態であると、検出対象物質の非特異的な結合が起こるため、官能基の不活性化処理（ブロッキング）を行う必要がある（非特許文献２および非特許文献３参照）。ブロッキングの方法としては、検出反応に影響しない物質を吸着させて官能基を遮蔽する方法と、触媒などの作用により官能基を他の不活性な官能基に変換する方法がある。しかし、ブロッキング処理は一般的に再現性が低く、均一な処理を行うためには熟練を要するなどマイクロアレイを用いた分析技術発展の大きな妨げになっている。また、ブロッキング処理は官能基を不活性化するだけであり、検出対象物質の物理的吸着を抑制することはできない。さらに、固定化する生理活性物質が不安定であり、ブロッキング剤の影響により変性、失活する場合には、ブロッキング処理が不可能であることも考えられる。そこで、ブロッキング処理が不要で、かつ、非特異的な吸着を最小限に抑えることのできるマイクロアレイが求められている。
【非特許文献１】「ＤＮＡマイクロアレイ実戦マニュアル」、林崎良英、岡崎康司編、羊土社、2000年、p.57
【非特許文献２】「細胞工学別冊  ＤＮＡマイクロアレイと最新ＰＣＲ法」、P.22、秀潤社、2000年
【非特許文献３】「ＤＮＡチップ技術とその応用」、「蛋白質  核酸  酵素  43(13)」、君塚房夫、加藤郁之進著、共立出版、1998年、pp.2004〜2011
【発明の開示】
【発明が解決しようとする課題】
【０００４】
本発明は、ブロッキング処理が不要で、検出対象物質の非特異的な吸着・結合量が少なく検出精度の高いマイクロアレイを提供することを目的とする。
【課題を解決するための手段】
【０００５】
本発明は、
（１）固相基板の表面の一部に生理活性物質を固定化してなるマイクロアレイであって、基板表面には生理活性物質固定化用の表面処理を施した層（層Ａ）が存在し、かつ、層Ａの上には生理活性物質の吸着を抑制する物質からなる層（層Ｂ）が重層されており、生理活性物質の固定部分において層Ｂをなす物質の少なくとも一部が基板表面から除去されている、およびまたは、吸着抑制効果を失っている、およびまたは、生理活性物質が層Ａに達するまで浸透していることを特徴とするマイクロアレイ、
（２）層Ａは生理活性物質との結合性を有する官能基を含む（１）記載のマイクロアレイ、
（３）層Ａはアルデヒド基、アミノ基、エポキシ基、チオール基、水酸基、カルボキシル基、ニトロ基、スルホン基、酸無水物、カルボジイミド基、ビニル基、ハロゲン化アルキル、ハロゲン化アリル、スクシンイミド基、マレイミド基、イソシアナート基、イソチオシアナート基、ヒドラジド基、アジド基、ビオチン誘導体、アビジン誘導体、リン酸基、アズラクトン基、ニトリル基、アミド基、イミノ基、ニトレン基、アセチル基、ポリリジンの内、少なくとも一つを含む（１）記載のマイクロアレイ、
（４）層Ａはアルデヒド基、およびまたは、アミノ基を含む（１）記載のマイクロアレイ、
（５）層Ａはアミノアルキルシランを介して結合した多官能性アルデヒド由来のアルデヒド基を含む（１）記載のマイクロアレイ、
（６）層Ｂは高分子物質からなる（１）〜（５）いずれか記載のマイクロアレイ、
（７）高分子物質がホスホリルコリン基を有する（６）記載のマイクロアレイ、
（８）ホスホリルコリン基を有する高分子物質が２−メタクリロイルオキシエチルホスホリルコリンを含む共重合体である（７）記載のマイクロアレイ、
（９）基板がプラスチック製であることを特徴とする（１）〜（８）いずれか記載のマイクロアレイ、
（１０）プラスチックが飽和環状ポリオレフィン製である（９）記載のマイクロアレイ、
（１１）基板がガラス製である（１）〜（８）いずれか記載のマイクロアレイ、
（１２）生理活性物質が核酸、アプタマー、タンパク質、抗体、オリゴペプチド、ペプチド核酸、糖鎖、糖タンパク質の内、少なくとも一つである（１）〜（１１）いずれか記載のマイクロアレイ、
（１３）生理活性物質がオリゴヌクレオチドである（１）〜（１１）いずれか記載のマイクロアレイ、
（１４）生理活性物質がアプタマーである（１）〜（１１）いずれか記載のマイクロアレイ、
（１５）基板表面への生理活性物質固定化用の表面処理層（層Ａ）の形成工程（工程Ａ）、層Ａの上部への生理活性物質の吸着を抑制する物質からなる層（層Ｂ）の形成工程（工程Ｂ）、および、生理活性物質溶液あるいは生理活性物質分散液の基板上への点着工程（工程Ｃ）を含み、工程Ｃで点着部において層Ｂを形成する物質の少なくとも一部を除去する、およびまたは、吸着抑制効果を失わせる、およびまたは、生理活性物質の少なくとも一部を層Ａに達するまで浸透させることを特徴とするマイクロアレイの製造方法、
（１６）工程Ｃの生理活性物質溶液あるいは生理活性物質分散液が、層Ｂを形成する物質に対して溶解性を示す（１５）記載のマイクロアレイの製造方法、
（１７）工程Ｃの生理活性物質溶液あるいは生理活性物質分散液がアルコールを含む（１６）記載のマイクロアレイの製造方法、
（１８）生理活性物質溶液あるいは生理活性物質分散液が界面活性剤を含む（１６）記載のマイクロアレイの製造方法、
（１９）層Ｂがホスホリルコリン基を有する高分子物質から形成される（１５）〜（１８）いずれか記載のマイクロアレイの製造方法、
（２０）ホスホリルコリン基を有する高分子物質が、２−メタクリロイルオキシエチルホスホリルコリンを含む共重合体である（１９）記載のマイクロアレイの製造方法、
（２１）基板がプラスチック製である（１５）〜（２０）いずれか記載のマイクロアレイの製造方法、
（２２）プラスチックが飽和環状ポリオレフィン製である（２１）記載のマイクロアレイの製造方法、
（２３）基板がガラス製である（１５）〜（２０）いずれか記載のマイクロアレイの製造方法、
（２４）生理活性物質が核酸、アプタマー、タンパク質、抗体、オリゴペプチド、ペプチド核酸、糖鎖、糖タンパク質の内、少なくとも一つである（１５）〜（２３）いずれか記載のマイクロアレイの製造方法、
（２５）生理活性物質がオリゴヌクレオチドである（１５）〜（２３）いずれか記載のマイクロアレイの製造方法、
（２６）生理活性物質がアプタマーである（１５）〜（２３）いずれか記載のマイクロアレイの製造方法
である。
【発明の効果】
【０００６】
本発明によれば、ブロッキング処理が不要で、検出対象物質の非特異的な吸着・結合量が少なく検出精度の高いマイクロアレイを得ることができる。
【発明を実施するための最良の形態】
【０００７】
本発明のマイクロアレイは、基板表面に生理活性物質固定化用の表面処理層（層Ａ）の上部に生理活性物質吸着抑制層（層Ｂ）が存在し、生理活性物質の固定化操作時に層Ｂが無効化（除去あるいは不活性化あるいは生理活性物質を浸透）されることを特徴とする。
層Ａの目的はマイクロアレイ作製時に生理活性物質を効率よく固定化することであり、層Ｂの目的はマイクロアレイ使用時に生理活性物質の基板への非特異的吸着を抑制し、信号対雑音比を向上させることである。層Ｂの存在は、マイクロアレイ作製時に生理活性物質固定化をも妨げるため、生理活性物質溶液あるいは生理活性物質分散液（以下、液体Ｃと略記）には、層Ｂを形成する物質を無効化する性質が必要である。
【０００８】
（層Ａの形成）
層Ａは生理活性物質との結合性を有する官能基を含む。官能基として、アルデヒド基、アミノ基、エポキシ基、チオール基、水酸基、カルボキシル基、ニトロ基、スルホン基、酸無水物、カルボジイミド基、ビニル基、ハロゲン化アルキル、ハロゲン化アリル、スクシンイミド基、マレイミド基、イソシアナート基、イソチオシアナート基、ヒドラジド基、アジド基、ビオチン誘導体、アビジン誘導体、リン酸基、アズラクトン基、ニトリル基、アミド基、イミノ基、ニトレン基、アセチル基などを用いることができ、好ましくはアルデヒド基、アミノ基、エポキシ基、チオール基、カルボジイミド基、酸無水物であり、より好ましくはアルデヒド基、アミノ基である。
固定化する生理活性物質が核酸の場合は、アミノ基およびアルデヒド基が多用されている。基板表面へのアミノ基の導入には、アミノアルキルシラン処理、窒素雰囲気下でのプラズマ処理、アミノ基含有高分子物質のコーティングなどの方法を用いることができるが、処理の簡便性、均一性の観点から、アミノアルキルシラン処理が好ましい。アミノアルキルシラン処理は、アミノアルキルシラン溶液への基板の浸漬および熱処理によることが好ましい。アミノアルキルシラン溶液の濃度は０．１〜１０重量％が好ましく、０．１〜５重量％がより好ましく、さらに好ましくは１〜５重量％である。
基板表面へのアルデヒド基の導入方法として好適に用いられるのは、アミノ基導入の後に多官能性アルデヒドを反応させる方法である。アミノ基導入には、上記の手法を用いることができる。多官能性アルデヒドとしてはグルタルアルデヒドが好ましい。
【０００９】
（層Ｂの形成）
層Ｂは生理活性物質の吸着を抑制する物質からなる。生理活性物質の吸着を抑制する物質として、高分子物質を好適に用いる事ができる。高分子物質はホスホリルコリン基を含むことが好ましく、２−メタクリロイルオキシエチルホスホリルコリンを含む共重合体（ＭＰＣポリマー）を好適に用いることができる。ＭＰＣポリマーは生体膜（リン脂質二重層膜）類似の構造を有し、生理活性物質の吸着を抑制する効果を有する（たとえば、Ishihara K、 Tsuji T、 Kurosaki T、 Nakabayashi N、 Journal of Biomedical Materials Research、 28(2)、 pp.225-232、 (1994) 参照）。ＭＰＣポリマー層を形成する方法としては、ディップコート法を用いることができる。すなわち、ＭＰＣポリマー溶液に基板を浸漬した後、溶媒を揮発させることにより表面にＭＰＣポリマー層を形成する。ＭＰＣポリマーの濃度は、０．０１〜１０重量％が好ましく、０．０１〜５重量％がより好ましく、０．１〜５重量％がさらに好ましい。
検出対象が核酸の場合には、核酸は負電荷を有することから、負電荷をもつ高分子物質を用いて層Ｂを形成することで、静電的反発により核酸の吸着を抑制することができる。負電荷をもつ高分子物質の代表として、ポリアクリル酸およびその塩、ポリスチレンスルホン酸およびその塩、カルボキシメチルセルロースなどが挙げられる。
【００１０】
（生理活性物質の固定化）
生理活性物質をマイクロアレイ基板上に固定化する際には、生理活性物質を溶解又は分散した液体（液体Ｃ）を点着する方法が一般的である。しかしながら、本発明の基板を用いる場合、層Ｂはマイクロアレイ作製時においても生理活性物質の固定化を妨げてしまうため、生理活性物質を固定化する部分（スポット）において層Ｂを無効化する必要がある。層Ｂを無効化する方法としては、液体Ｃの接触により層Ｂを形成する物質を溶解する方法が好ましい。この方法では、スポット以外の部分の層Ｂは全く影響を受けないまま存在するため、スポット以外の部位への検出対象物質の吸着・結合は抑制される。液体Ｃは層Ｂを形成する物質に対する溶解性を示せばよい。層Ｂを形成する物質がＭＰＣポリマーである場合には、液体Ｃはアルコール、およびまたは、界面活性剤を含むことが好ましい。アルコールとしてはメタノール、エタノール、１−プロパノール、２−プロパノール、ｎ−ブチルアルコール、ｔｅｒｔ−ブチルアルコール、グリセリンなどを好ましく用いることができ、エタノールが最も好ましい。界面活性剤としては、ラウリル硫酸ナトリウムが好ましい。液体Ｃとしてはアルコール以外にも、ジメチルスルホキシド、Ｎ−メチルピロリドン、ジメチルホルムアミド、その他の溶媒を用いることができる。液体Ｃは２種類以上の液体の混合物であってもよい。
液体Ｃの点着後、固定化されなかった物質を除去するため、純水や緩衝液で洗浄することが好ましい。既存のマイクロアレイ用基板を用いる場合には、未反応の官能基のブロッキング処理が必要であるが、本発明では未反応の官能基は層Ｂに被覆されているため、ブロッキング処理は不要である。
固定化する生理活性物質としては、他の物質を特異的に捕捉する性質を有することが好ましい。具体的には、たとえば核酸、アプタマー、タンパク質、抗体、オリゴペプチド、ペプチド核酸、糖鎖、糖タンパク質などを用いることができる。
固定化する生理活性物質には、層Ａの官能基との反応性を高めるため、予め官能基を導入することが好ましい。層Ａの官能基がアルデヒド基の場合、生理活性物質にはアミノ基を導入しておくことが好ましい。アミノ基の導入位置は生理活性物質の分子鎖末端あるいは側鎖であってもよいが、生理活性物質の本来の機能を保持したまま固定化するために、分子鎖末端に導入されていることが好ましい。生理活性物質の本来の機能とは、たとえば核酸の場合はハイブリダイゼーション、抗体やアプタマーの場合は抗原認識能などである。
【００１１】
（基板の素材）
マイクロアレイ用基板の素材は、ガラス、プラスチック、金属その他を用いることができるが、表面処理の容易性、量産性の観点から、熱可塑性樹脂が好ましい。熱可塑性樹脂としては、蛍光発生量の少ないものが好ましく、たとえばポリエチレン、ポリプロピレン等の直鎖状ポリオレフィン、環状ポリオレフィン、含フッ素樹脂等を用いることが好ましく、耐熱性、耐薬品性、低蛍光性、成形性に特に優れる飽和環状ポリオレフィンを用いることがより好ましい。ここで飽和環状ポリオレフィンとは、環状オレフィン構造を有する重合体単独または環状オレフィンとα−オレフィンとの共重合体を水素添加した飽和重合体をさす。
【実施例】
【００１２】
（実施例）
飽和環状ポリオレフィン製の基板を親水化処理したのち、１重量％の３−アミノプロピルトリメトキシシランの水溶液に浸漬し、熱処理を施すことにより表面にアミノ基を導入した。続いて基板を１重量％グルタルアルデヒドの水溶液に浸漬し、基板表面にアミノ基を介してアルデヒド基を導入することで層Ａを形成した。さらに、基板を２−メタクリロイルオキシエチルホスホリルコリン−ブチルメタクリレート共重合体の０．５重量％エタノール溶液に浸漬後、乾燥することで層Ｂを形成した。
評価１：  末端にアミノ基を導入したオリゴヌクレオチド（オリゴ１）（２４ｍｅｒ）の水溶液（０．１μｇ／μｌ）とエタノールを１：１で混合した溶液を基板上に点着した。８０℃で１時間熱処理を施したのち、純水で洗浄した。オリゴ１と相補的な配列で、末端にローダミン修飾を施したオリゴヌクレオチド（オリゴ２）を２０ｎｇ／μｌの濃度に調製した溶液を基板上に展開し、６５℃で３時間静置することでハイブリダイゼーション反応を進行させたのち、洗浄した。ハイブリダイゼーションによりスポットに結合したオリゴ２の蛍光量を測定することで、ハイブリダイゼーション効率を評価した。
評価２：  オリゴ２を２０ｎｇ／μｌの濃度で溶解した溶液を基板上に点着し、洗浄した。基板上に残存したオリゴ２の蛍光量を測定することで、オリゴヌクレオチドの非特異的な吸着量を評価した。
【００１３】
（比較例）
実施例と同様の方法で基板にアミノ基を導入し、引き続きアルデヒド基を導入することで層Ａを形成した。層Bは形成させなかった。
評価１：  実施例と同様の方法でハイブリダイゼーション効率を評価した。
評価２：  実施例と同様の方法でオリゴヌクレオチドの非特異的な吸着量を評価した。
【００１４】
実施例および比較例における蛍光量の測定には、Packard BioChip Technologies社製マイクロアレイスキャナー「ScanArray」を用いた。評価１の測定条件は、励起波長５５５ｎｍ、測定波長５７０ｎｍ、レーザー出力９０％、ＰＭＴ感度４５％、解像度３０ｎｍであった。評価２の測定条件は、励起波長５５５ｎｍ、測定波長５７０ｎｍ、レーザー出力９０〜１００％、ＰＭＴ感度６５〜１００％、解像度３０ｎｍであった。
評価１の結果を表１に示す。実施例と比較例で同等の蛍光量となり、本発明のマイクロアレイを用いてハイブリダイゼーション反応が検出可能であることが示された。
評価２の結果を表２に示す。実施例において蛍光量を検出することができず、本発明のマイクロアレイが核酸の非特異的吸着の抑制効果を有することが示された。
【００１５】
【表１】
2004198402.tif 000002
【００１６】
【表２】
2004198402.tif 000003